(57)【要約】【課題】  生き餌に乗ったイカを容易且つ確実に釣ることができるイカ釣り具を提供する。【解決手段】  釣糸５０の先端に取り付けられる基部１０と、基部１０から放射状に拡がる可撓性の張出部材２０と、張出部材２０の先端に揺動自在に取り付けられた線材３０と、線材３０の先端に設けられた掛け針４０とを備えるイカ釣り具１である。釣糸５０の途中には可動部５２を介して鈎５４を取り付け、鈎５４にアジ等の生き餌５６を取り付けることができる。【選択図】  図１
0003162495.tif 000002
【実用新案登録請求の範囲】
【請求項１】
釣糸の先端に取り付けられる基部と、
前記基部から放射状に拡がる可撓性の張出部材と、
前記張出部材の先端に揺動自在に取り付けられた線材と、
前記線材の先端に設けられた掛け針とを備えるイカ釣り具。
【請求項２】
前記張出部材および線材は、それぞれの端部に設けられたリング部同士を繋ぐことにより連結されている請求項１に記載のイカ釣り具。
【請求項３】
前記張出部材は、水平面に対して斜め下方に向けて張り出した状態で、前記線材を垂下するように支持する請求項１または２に記載のイカ釣り具。
【考案の詳細な説明】
【技術分野】
【０００１】
本考案は、アジ等の生き餌を用いてイカ釣りを行うためのイカ釣り具に関する。
【背景技術】
【０００２】
生き餌に乗ったイカに掛け針を掛けて釣り上げるイカ釣り具として、例えば特許文献１に開示された構成が知られている。図４に示すように、特許文献１に開示されたイカ釣り具１００は、道糸１０１に設けられた接続用金具１０２および留めゴム１０３間で、可動式金具１０４が道糸１０１に沿って移動可能に設けられ、可動式金具１０４に掛け糸１０５を介して掛け棒１０６が設けられており、道糸５１の下端には掛け針１０７と錘１０８が設けられている。このイカ釣り具１００は、掛け棒１０６に取り付けられた餌１１０をイカ１１１が捕食している状態で合わせを入れると、可動式金具１０４が道糸１０１に沿って留めゴム１０３まで移動し、イカ１１１に掛け針１０７を掛けることができる。
【先行技術文献】
【特許文献】
【０００３】
【特許文献１】実用新案登録第３０８６７６３号公報
【考案の概要】
【考案が解決しようとする課題】
【０００４】
上記従来のイカ釣り具１００は、イカ１１１に対する掛け針１０７の掛かりが、留めゴム１０３を支点とした道糸１０１の揺動によって行われるので、掛け針１０７に作用する揺動力が不十分になり易く、掛け針１０７がイカ１１１まで到達し難いという問題や、イカ１１１に対する掛け針１０７の掛かりが悪いという問題があった。
【０００５】
そこで、本考案は、生き餌に乗ったイカを容易且つ確実に釣ることができるイカ釣り具の提供を目的とする。
【課題を解決するための手段】
【０００６】
本考案の前記目的は、釣糸の先端に取り付けられる基部と、前記基部から放射状に拡がる可撓性の張出部材と、前記張出部材の先端に揺動自在に取り付けられた線材と、前記線材の先端に設けられた掛け針とを備えるイカ釣り具により達成される。
【０００７】
このイカ釣り具において、前記張出部材および線材は、それぞれの端部に設けられたリング部同士を繋ぐことにより連結されていることが好ましい。
【０００８】
また、前記張出部材は、水平面に対して斜め下方に向けて張り出した状態で、前記線材を垂下するように支持することが好ましい。
【考案の効果】
【０００９】
本考案によれば、生き餌に乗ったイカを容易且つ確実に釣ることができるイカ釣り具を提供することができる。
【図面の簡単な説明】
【００１０】
【図１】本考案の一実施形態に係るイカ釣り具の側面図である。
【図２】図１に示すイカ釣り具の平面図である。
【図３】図１に示すイカ釣り具の使用状態を示す側面図である。
【図４】従来のイカ釣り具の側面図である。
【考案を実施するための形態】
【００１１】
以下、本考案の一実施形態について添付図面を参照しつつ説明する。図１は、本考案の一実施形態に係るイカ釣り具の側面図であり、図２はその平面図である。
【００１２】
図１及び図２に示すように、イカ釣り具１は、基部１０と、基部１０から放射状に拡がる複数の張出部材２０と、各張出部材２０の先端に取り付けられた線材３０と、各線材３０の先端に設けられた掛け針４０とを備えている。
【００１３】
基部１０は、直棒状に形成され、一方端にリング状の取付部１２を有している。取付部１２には、釣糸（道糸）５０の先端が取り付けられる。
【００１４】
張出部材２０は３本の金属ワイヤからなり、本実施形態では各金属ワイヤの端部を束ねて撚ることで上記の基部１０が形成され、基部１０の他方端の中心から各張出部材２０が直線状に張り出している。各張出部材２０は、図２に示すようにそれぞれの間が等角度となるように配置されている。張出部材２０は、後述する掛け針４０を支持した状態で直線形状を維持できる程度の剛性を有することが好ましく、基部１０を支点とした撓み変形が生じるように構成されている。張出部材２０は、本実施形態では線状に形成しているが、その形状は特に限定されるものではなく、例えば、板状に形成したり、或いは、張出方向に先細となるように形成してもよい。また、張出部材２０の材質は、金属製以外に樹脂製等であってもよい。各張出部材２０の張出方向先端には、リング部２２が固定されている。張出部材２０の個数は、本実施形態のように３本程度が好ましいが、特に限定されない。
【００１５】
線材３０は、金属ワイヤからなり、一方端に固定されたリング部３２を張出部材２０のリング部２２に繋げることにより、各張出部材２０の先端に搖動自在に支持されている。線材３０は、高剛性の金属材料から形成されていてもよく、或いは、ハリスなどの糸状のものであってもよい。線材３０が糸からなる場合、本実施形態のようにリング部２２，３２を使用しなくても、張出部材２０の先端に搖動自在に支持することができる。
【００１６】
基部１０、張出部材２０および線材３０の長さは、目標とするイカの大きさに応じて適宜設定すればよいが、一例を挙げると、それぞれ３ｃｍ、７．５ｃｍ、３ｃｍである。特に張出部材２０の長さは、イカの大きさに応じて最適化することが好ましく、張出部材２０の長さが異なるものを複数種類用意してもよい。
【００１７】
掛け針４０は、パイプ状の本体部から複数の針が放射状に拡がる公知の構成であり、本体部に挿通した線材３０の先端を抜け止め処理することにより、線材３０に回転自在に設けられている。掛け針４０は、図１に示すように、線材３０が張出部材２０の先端から垂下した状態で、針先４２が上方を向くように線材３０に支持されることが好ましい。各掛け針４０には、必要に応じて錘を設けてもよい。
【００１８】
上記の構成を有するイカ釣り具１は、図１に示すように、基部１０の取付部１２に釣糸５０の先端を結びつけて使用する。釣糸５０の糸よれを防止するため、サルカン（図示せず）等を介して基部１０を釣糸５０に取り付けるようにしてもよい。また、イカ釣り具１の取付けと共に、釣糸５０の途中に可動部５２を介して鈎５４を取り付ける。可動部５２は、例えば、鈎５４を支持する糸のウキ止め結びによる結び目や金具等からなり、釣糸５０に沿って移動自在であることが好ましい。この後、鈎５４にアジ等の生き餌５６を取り付けて、イカ釣り具１を海中に投下する。
【００１９】
そして、図３に示すように、生き餌５６にイカ６０が乗ったタイミングで合わせを入れると、釣糸５０の急激な上昇に伴い可動部５２が釣糸５０に沿って下方（矢示方向）に移動し、イカ釣り具１がイカ６０に接近する。張出部材２０は、釣糸５０の初期上昇時に水の抵抗を受けて下方への撓み変形を生じるため、この撓み変形により蓄積されたばね力が減速時に解放されることにより、線材３０には大きな搖動力が発生する。こうして、複数の掛け針４０を勢いよく旋回させることができ、イカ６０を確実に捉えることができる。特に、本実施形態のイカ釣り具１は、張出部材２０および線材３０が、リング部２２，３２同士を繋ぐことにより連結されているため、リング部２２を支点とした掛け針４０の大きな旋回を促すことができ、掛け針４０をイカ６０に確実に食い込ませることができる。
【００２０】
図３に示すように、本実施形態の張出部材２０は、水平面に対して斜め下方に向けて張り出した状態で、線材３０を垂下するように支持しており、これによって、撓み変形によるばね力を線材３０に効率よく伝達して、掛け針４０をスムーズに旋回させることができる。張出部材２０の張出方向は、水平面に対する傾斜角度（図３のα）が約１５°となるように設定することが好ましいが、これに限定されるものではない。
【符号の説明】
【００２１】
１  イカ釣り具
１０  基部
２０  張出部材
２２  リング部
３０  線材
３２  リング部
４０  掛け針
【図１】
0003162495.tif 000003
【図２】
0003162495.tif 000004
【図３】
0003162495.tif 000005
【図４】
0003162495.tif 000006